(57)【特許請求の範囲】
【請求項１】
映像信号に対しコントラスト調整及びブライトネス調整を行い、映像を表示する表示装置において、
前記映像信号を入力し、前記映像信号に対し前記コントラスト調整及び前記ブライトネス調整を行い新たな映像信号を生成し、前記新たな映像信号を調整後の映像信号として出力する調整部と、
前記調整部により出力された前記調整後の映像信号により、前記映像を表示する表示部と、を備え、
前記調整部は、
前記表示部におけるディスプレイの画面輝度をＬ、画面輝度のゲインを調整するコントラストパラメータをａ、基準黒色の画面輝度を調整するブライトネスパラメータをｂ、基準白色の映像信号レベルをｒ、当該調整部が入力する前記映像信号のレベルをＶ、前記表示部のディスプレイ特性をγとして、数式
0006537401.tif 000010
を満たすように、前記新たな映像信号を生成する、ことを特徴とする表示装置。
【請求項２】
映像信号を入力し、前記映像信号に対しコントラスト調整及びブライトネス調整を行い新たな映像信号を生成し、前記新たな映像信号を表示部へ出力する調整回路において、
前記表示部におけるディスプレイの画面輝度をＬ、画面輝度のゲインを調整するコントラストパラメータをａ、基準黒色の画面輝度を調整するブライトネスパラメータをｂ、基準白色の映像信号レベルをｒ、前記映像信号のレベルをＶ、前記表示部のディスプレイ特性をγとして、数式
0006537401.tif 000011
を満たすように、前記新たな映像信号を生成する、ことを特徴とする調整回路。
【請求項３】
請求項２に記載の調整回路において、
前記映像信号を入力し、前記数式により、前記映像信号のレベルＶに対応する前記画面輝度Ｌを求める演算手段と、
前記表示部が入力する映像信号と、当該映像信号にて映像が表示されたときの画面輝度との間の関係が定義された変換規則に従って、前記演算手段により求めた前記画面輝度Ｌを映像信号に変換し、変換後の映像信号を前記新たな映像信号として、前記表示部へ出力する変換手段と、
を備えたことを特徴とする調整回路。
【請求項４】
請求項２に記載の調整回路において、
前記コントラストパラメータａ、前記ブライトネスパラメータｂ、前記ディスプレイ特性γ及び前記基準白色の映像信号レベルｒからなるパラメータ群毎に、前記数式に従って、当該調整回路が入力する前記映像信号と当該調整回路が前記表示部へ出力する前記新たな映像信号との間の関係が定義されたテーブルと、
前記映像信号を入力し、前記テーブルを用いて、当該映像信号を、当該映像信号及び前記パラメータ群に対応する前記新たな映像信号に変換し、前記新たな映像信号を前記表示部へ出力する変換手段と、
を備えたことを特徴とする調整回路。
【発明の詳細な説明】
【技術分野】
【０００１】
本発明は、映像信号の画面輝度を調整する技術に関し、特に、コントラスト調整及びブライトネス調整を行う表示装置及び調整回路に関する。
【背景技術】
【０００２】
一般に、映像をカメラにより取得し、表示装置のディスプレイに表示する過程では、光信号から電気信号への変換（optical−electro transfer function：ＯＥＴＦ）、及び電気信号から光信号への変換（electro−optical transfer function：ＥＯＴＦ）が伴う。ハイビジョン（登録商標）放送の撮像におけるＯＥＴＦの方式は、ＩＴＵ−Ｒ勧告ＢＴ．７０９−５によって規定されている（非特許文献１を参照）。一方、ハイビジョン（登録商標）放送の撮像におけるＥＯＴＦの方式は、ディスプレイにブラウン管（Cathode Ray Tube：ＣＲＴ）のみが使用されてきた背景と、製造元及び機種によらずほぼ一意であったことから、長らく規定されていなかった。
【０００３】
しかしながら、ＥＯＴＦの方式は、ディスプレイがＣＲＴを用いない液晶、プラズマ、有機ＥＬ等のフラットパネル型に置き換わりつつあった２０１１年に、番組制作に用いるマスターディスプレイの表示特性について初めて規定された（非特許文献２を参照）。
【０００４】
非特許文献２の勧告が規定するＥＯＴＦの方式には、観視環境の明るさに応じた最適な画面輝度を調整するための機能として、入力の映像信号レベルに対する画面輝度のゲインを調整するコントラストのパラメータ、及び基準黒色の画面輝度を調整する（基準黒レベルを調整する）ブライトネスのパラメータを含んでいる。
【０００５】
非特許文献２の勧告が規定するＥＯＴＦの方式では、以下の数式により、ディスプレイの画面輝度が調整される。
【数１】
0006537401.tif 000002
Ｌはディスプレイの画面輝度、Ｖは入力の映像信号レベル、γはディスプレイ特性（ＣＲＴではγ＝２．４）である。ａは、画面輝度のゲインを調整するためのパラメータ（コントラストパラメータ）、ｂは、基準黒色の画面輝度を調整するためのパラメータ（ブライトネスパラメータ）である。ディスプレイ特性γ、コントラストパラメータａ及びブライトネスパラメータｂは、ユーザにより予め設定される。
【０００６】
図８は、非特許文献２の勧告（ＩＴＵ−Ｒ勧告ＢＴ．１８８６）におけるＥＯＴＦの方式による表示特性を示す図である。ディスプレイ特性γ＝ ２．４（ＣＲＴの場合）として、図８（ａ）は、ブライトネスパラメータｂ＝０（一定）の下で、コントラストパラメータａ＝１．０，２．０，０．５０としたときの表示特性、図８（ｂ）は、コントラストパラメータａ＝１．０（一定）の下で、ブライトネスパラメータｂ＝０，＋０．０２５，−０．０２５としたときの表示特性を示している。横軸は映像信号レベルＶであり、縦軸はディスプレイの画面輝度Ｌである。
【０００７】
ＣＲＴに代わる液晶、プラズマ、有機ＥＬ等の技術を使用したディスプレイの表示特性、コントラスト調整機能及びブライトネス調整機能は、非特許文献２の勧告に従うことで、映像制作及び管理の一貫性を保証している。
【先行技術文献】
【非特許文献】
【０００８】
【非特許文献１】ITU−R Recommendation BT．709−5“Parameter values for the ＨＤＴＶ standards for production and international programme exchange，”2002
【非特許文献２】ITU−R Recommendation BT．1886“Reference electro−optical transfer function for flat panel displays used in ＨＤＴＶ studio production，”2011
【発明の概要】
【発明が解決しようとする課題】
【０００９】
現行の放送方式における映像制作では、基準黒色の映像信号レベルを０％、基準白色の映像信号レベルを１００％として階調を表現している。一方、次世代のテレビ方式として、拡張ダイナミックレンジテレビ（Extended Image Dynamic Range TV：ＥＩＤＲＴＶ）の方式が検討されている。ＥＩＤＲＴＶの方式では、基準白色の映像信号レベルを１００％未満とすることにより、基準白色の映像信号レベルから最大映像信号レベル１００％の範囲（オーバーホワイト領域）において、高輝度要素をより豊かな階調及び色彩で表現する。
【００１０】
ここで、図８（ｂ）に示すとおり、ブライトネス調整にてブライトネスパラメータｂを変化させると、映像信号レベルＶ＝１（１００％）における基準白色の画面輝度Ｌｗは変化してしまう。基準白色の画面輝度Ｌｗを変化させないようにするためには、実運用において、コントラスト調整によりこれを補正する。具体的には、観視環境の明るさに応じた最適な基準黒色の画面輝度をブライトネス調整によって設定した後、図８（ａ）に示すコントラスト調整にてコントラストパラメータａを変化させることで、映像信号レベルＶ＝１（１００％）における基準白色の画面輝度Ｌｗを補正する。
【００１１】
現行の放送方式では、実効的なブライトネスの調整量が基準白色の画面輝度Ｌｗに及ぼす影響は、十分に小さい。これは、図８（ｂ）において、映像信号レベルＶ＝１（１００％）における画面輝度Ｌが、ブライトネス調整によってさほど変化していないことから明らかである。ブライトネスの調整量が基準白色の画面輝度Ｌｗに及ぼす影響をなくすためには、コントラスト調整にて補正を行う。これにより、映像制作及び管理の一貫性は十分に保証される。
【００１２】
一方、ＥＩＤＲＴＶの方式では、基準白色の映像信号レベルは１００％ではなく、１００％未満とすることから、実効的なブライトネスの調整量が基準白色の画面輝度Ｌｗに及ぼす影響は、現行の放送方式に比べて大きい。図８（ｂ）に示すように、映像信号レベルＶが低くなるほど、ブライトネス調整によって画面輝度Ｌが大きく変化し、基準白色の画面輝度Ｌｗへの影響が大きくなるからである。
【００１３】
ＥＩＤＲＴＶの方式を用いた場合、映像制作及び管理の一貫性を保証するためには、ブライトネス調整にてブライトネスパラメータｂを変化させても、基準白色の画面輝度が変化しないことが望ましい。
【００１４】
しかしながら、ＥＩＤＲＴＶの方式に、非特許文献２の勧告が規定するＥＯＴＦの方式をそのまま採用した場合、ブライトネス調整によって、映像信号レベルＶ＝１（１００％）未満に設定された基準白色の画面輝度Ｌｗが大きく変化してしまうという問題があった。
【００１５】
そこで、本発明は前記課題を解決するためになされたものであり、その目的は、任意に設定された基準白色の画面輝度が変化しないように、基準黒レベルのブライトネスを調整可能な表示装置及び調整回路を提供することにある。
【課題を解決するための手段】
【００１６】
前記課題を解決するために、請求項１の表示装置は、映像信号に対しコントラスト調整及びブライトネス調整を行い、映像を表示する表示装置において、前記映像信号を入力し、前記映像信号に対し前記コントラスト調整及び前記ブライトネス調整を行い新たな映像信号を生成し、前記新たな映像信号を調整後の映像信号として出力する調整部と、前記調整部により出力された前記調整後の映像信号により、前記映像を表示する表示部と、を備え、前記調整部が、前記表示部におけるディスプレイの画面輝度をＬ、画面輝度のゲインを調整するコントラストパラメータをａ、基準黒色の画面輝度を調整するブライトネスパラメータをｂ、基準白色の映像信号レベルをｒ、当該調整部が入力する前記映像信号のレベルをＶ、前記表示部のディスプレイ特性をγとして、数式
0006537401.tif 000003
を満たすように、前記新たな映像信号を生成する、ことを特徴とする。
【００１７】
また、請求項２の調整回路は、映像信号を入力し、前記映像信号に対しコントラスト調整及びブライトネス調整を行い新たな映像信号を生成し、前記新たな映像信号を表示部へ出力する調整回路において、前記表示部におけるディスプレイの画面輝度をＬ、画面輝度のゲインを調整するコントラストパラメータをａ、基準黒色の画面輝度を調整するブライトネスパラメータをｂ、基準白色の映像信号レベルをｒ、前記映像信号のレベルをＶ、前記表示部のディスプレイ特性をγとして、数式
0006537401.tif 000004
を満たすように、前記新たな映像信号を生成する、ことを特徴とする。
【００１８】
また、請求項３の調整回路は、請求項２に記載の調整回路において、前記映像信号を入力し、前記数式により、前記映像信号のレベルＶに対応する前記画面輝度Ｌを求める演算手段と、前記表示部が入力する映像信号と、当該映像信号にて映像が表示されたときの画面輝度との間の関係が定義された変換規則に従って、前記演算手段により求めた前記画面輝度Ｌを映像信号に変換し、変換後の映像信号を前記新たな映像信号として、前記表示部へ出力する変換手段と、を備えたことを特徴とする。
【００１９】
また、請求項４の調整回路は、請求項２に記載の調整回路において、前記コントラストパラメータａ、前記ブライトネスパラメータｂ、前記ディスプレイ特性γ及び前記基準白色の映像信号レベルｒからなるパラメータ群毎に、前記数式に従って、当該調整回路が入力する前記映像信号と当該調整回路が前記表示部へ出力する前記新たな映像信号との間の関係が定義されたテーブルと、前記映像信号を入力し、前記テーブルを用いて、当該映像信号を、当該映像信号及び前記パラメータ群に対応する前記新たな映像信号に変換し、前記新たな映像信号を前記表示部へ出力する変換手段と、を備えたことを特徴とする。
【発明の効果】
【００２０】
以上のように、本発明によれば、任意に設定された基準白色の画面輝度が変化しないように、基準黒レベルのブライトネスを調整することが可能となる。したがって、ＥＩＤＲＴＶの方式を用いた映像の制作及び管理の一貫性を保証することができる。
【図面の簡単な説明】
【００２１】
【図１】本発明の実施形態による表示装置の構成例を示すブロック図である。
【図２】本発明の実施形態によるコントラスト／ブライトネス調整回路を説明する図である。
【図３】実施例１によるコントラスト／ブライトネス調整回路の構成例を示すブロック図である。
【図４】演算手段の構成例を示すブロック図である。
【図５】実施例２によるコントラスト／ブライトネス調整回路の構成例を示すブロック図である。
【図６】テーブルを説明する図である。
【図７】本発明の実施形態におけるＥＯＴＦの方式による表示特性を示す図である。
【図８】非特許文献２の勧告（ＩＴＵ−Ｒ勧告ＢＴ．１８８６）におけるＥＯＴＦの方式による表示特性を示す図である。
【発明を実施するための形態】
【００２２】
以下、本発明を実施するための形態について図面を用いて詳細に説明する。本発明は、非特許文献２の勧告におけるＥＯＴＦの方式に従ったディスプレイ調整に対し、基準白色の画面輝度が一定となるように、新たなディスプレイ調整を行うことを特徴とする。
【００２３】
〔本発明の実施形態におけるディスプレイ調整〕
本発明の実施形態におけるＥＯＴＦの方式は、非特許文献２の勧告におけるＥＯＴＦの方式と同様に、観視環境の明るさに応じた最適な画面輝度を調整するための機能として、入力の映像信号レベルに対する画面輝度のゲインを調整するコントラストパラメータ、及び基準黒レベルを調整するブライトネスのパラメータを含んでいる。
【００２４】
本発明の実施形態では、以下の数式により、ディスプレイの画面輝度を調整する。
【数２】
0006537401.tif 000005
ｒは、基準白色の映像信号レベルであり、Ｌはディスプレイの画面輝度、Ｖは入力の映像信号レベル、γはディスプレイ特性（ＣＲＴではγ＝２．４）である。また、ａは、画面輝度のゲインを調整するためのコントラストパラメータ、ｂは、基準黒色の画面輝度を調整するためのブライトネスパラメータである。基準白色の映像信号レベルｒ、ディスプレイ特性γ、コントラストパラメータａ及びブライトネスパラメータｂは、ユーザにより予め設定される。
【００２５】
前記数式（２）は、ユーザにより予め設定される任意の基準白色の映像信号レベルｒに対し、ディスプレイの画面輝度Ｌが、ブライトネスパラメータｂに関わることなく一定となるように、前記数式（１）の右辺に、以下の補正係数を乗算したものである。
【数３】
0006537401.tif 000006
【００２６】
すなわち、前記数式（２）は、以下の数式で表すことができる。
【数４】
0006537401.tif 000007
【００２７】
ここで、映像信号レベルＶが基準白色の映像信号レベルｒのとき（Ｖ＝ｒのとき）、前記数式（２）及び（４）は、以下の数式で表すことができる。
【数５】
0006537401.tif 000008
前記数式（５）は、ブライトネスパラメータｂが存在しない数式であり、映像信号レベルＶが基準白色の映像信号レベルｒのときのディスプレイの画面輝度Ｌは、コントラストパラメータａ、基準白色の映像信号レベルｒ及びディスプレイ特性γにより決定されることを示している。
【００２８】
このように、本発明の実施形態では、ディスプレイの画面輝度Ｌを、前記数式（２）を用いて調整する。この数式（２）は、前記数式（３）及び（４）のとおり、従来の前記数式（１）に前記数式（３）の補正係数を乗算することで、新たなディスプレイ調整を行うことを示している。この数式（２）を用いることにより、映像信号レベルＶが基準白色の映像信号レベルｒのときのディスプレイの画面輝度Ｌは、前記数式（５）のとおり、ブライトネスパラメータｂに関わることがない。したがって、ブライトネスパラメータｂに関わることなく、基準白色の画面輝度を一定とすることができる。
【００２９】
図７は、本発明の実施形態におけるＥＯＴＦの方式による表示特性を示す図である。ディスプレイ特性γ＝ ２．４（ＣＲＴの場合）として、図７（ａ）は、ブライトネスパラメータｂ＝０（一定）の下で、コントラストパラメータをａ＝１．０，２．０，０．５０としたときのコントラスト調整の表示特性を示す。また、図７（ｂ）は、基準白色の映像信号レベルｒ＝０．５０、コントラストパラメータａ＝１．０の下で、ブライトネスパラメータｂ＝０，＋０．０２５，−０．０２５としたときのブライトネス調整の表示特性を示す。横軸は映像信号レベルＶであり、縦軸はディスプレイの画面輝度Ｌである。
【００３０】
図７（ａ）のコントラスト調整の表示特性は、図８（ａ）に示した非特許文献２による従来技術の表示特性と同様であることがわかる。また、図７（ｂ）のブライトネス調整の表示特性は、図８（ｂ）に示した非特許文献２による従来技術の表示特性と異なり、基準白色の映像信号レベルをｒ＝０．５０とした場合、映像信号レベルＶ＝０．５０において、ディスプレイの画面輝度Ｌは、ブライトネスパラメータｂによらず一定となることがわかる。
【００３１】
以上のように、本発明の実施形態によれば、ブライトネスパラメータｂに関わることなく、基準白色の画面輝度を一定とすることができる。つまり、任意に設定された基準白色の画面輝度が変化しないように、基準黒レベルのブライトネスを調整することが可能となる。したがって、放送方式として、基準白色の映像信号レベルを１００％未満とし、オーバーホワイト領域において高輝度要素をより豊かな階調及び色彩で表現するＥＩＤＲＴＶの方式を用いた場合、映像の制作及び管理の一貫性を保証することができる。
【００３２】
〔表示装置〕
次に、本発明の実施形態による表示装置について説明する。図１は、本発明の実施形態による表示装置の構成例を示すブロック図である。この表示装置１は、調整部１０及び表示部２０を備えている。
【００３３】
調整部１０は、本発明の実施形態によるコントラスト／ブライトネス調整回路１１、及び図示しないその他の調整回路を備えている。コントラスト／ブライトネス調整回路１１は、ユーザにより予め設定された各種パラメータ（コントラストパラメータａ、ブライトネスパラメータｂ、ディスプレイ特性γ及び基準白色の映像信号レベルｒ）を入力する。そして、コントラスト／ブライトネス調整回路１１は、これらの各種パラメータを用いた前記数式（２）を満たすように、映像信号に対しコントラスト調整及びブライトネス調整を行う。図示しないその他の調整回路は、映像信号に対し、輝度ガンマ調整等の各種の調整を行う。
【００３４】
調整部１０は、カメラにより取得された映像信号を入力し、映像信号に対し、コントラスト／ブライトネス調整回路１１によるコントラスト調整及びブライトネス調整、並びに図示しないその他の調整回路による調整を行い、調整後の映像信号を表示部２０に出力する。調整部１０は、カメラから映像信号を入力する代わりに、メモリに格納された映像信号を入力するようにしてもよい。
【００３５】
表示部２０は、調整部１０により調整された映像信号を入力し、映像信号による映像を画面表示する。
【００３６】
〔コントラスト／ブライトネス調整回路１１〕
次に、図１に示したコントラスト／ブライトネス調整回路１１について説明する。図２は、本発明の実施形態によるコントラスト／ブライトネス調整回路１１を説明する図である。コントラスト／ブライトネス調整回路１１から表示部２０に出力される映像信号をＶ’とし、表示部２０により表示される映像の画面輝度をＬとする。
【００３７】
コントラスト／ブライトネス調整回路１１は、映像信号Ｖを入力し、映像信号Ｖに対し、予め設定された各種パラメータ（コントラストパラメータａ、ブライトネスパラメータｂ、ディスプレイ特性γ及び基準白色の映像信号レベルｒ）を用いた前記数式（２）を満たすように、表示部２０のディスプレイの画面輝度Ｌを考慮したコントラスト調整及びブライトネス調整を行い、新たな映像信号Ｖ’を生成する。
【００３８】
新たな映像信号Ｖ’は、前記数式（２）により算出されるディスプレイの画面輝度Ｌに対応する信号であり、具体的には、前記数式（２）により算出されるディスプレイの画面輝度Ｌの映像を、表示部２０にて表示するための信号である。
【００３９】
〔実施例１：コントラスト／ブライトネス調整回路１１〕
次に、図１に示した実施例１のコントラスト／ブライトネス調整回路１１について詳細に説明する。図３は、実施例１によるコントラスト／ブライトネス調整回路１１の構成例を示すブロック図である。このコントラスト／ブライトネス調整回路１１−１は、演算手段１２及び変換手段１３を備えている。
【００４０】
演算手段１２は、映像信号Ｖを入力すると共に、予め設定された各種パラメータ（コントラストパラメータａ、ブライトネスパラメータｂ、ディスプレイ特性γ及び基準白色の映像信号レベルｒ）を入力する。そして、演算手段１２は、映像信号Ｖ及び各種パラメータを用いた前記数式（２）により、ディスプレイの画面輝度Ｌを算出し、これを輝度Ｌ情報として変換手段１３に出力する。
【００４１】
ここで、前記数式（２）の右辺において、ａの部分が、コントラスト調整回路に対応する演算箇所であり、前記数式（２）の右辺において、以下の部分が、ブライトネス調整回路に対応する演算箇所である。
【数６】
0006537401.tif 000009
【００４２】
変換手段１３は、演算手段１２から輝度Ｌ情報を入力し、図１及び図２に示した表示部２０に対応する変換規則に従って、輝度Ｌ情報を映像信号Ｖ’に変換し、映像信号Ｖ’を出力する。
【００４３】
表示部２０に対応する変換規則は、表示部２０に応じて予め設定されている。この変換規則は、表示部２０が入力する映像信号（映像信号Ｖ’）と、入力した映像信号にて映像が表示されたときの画面輝度（輝度Ｌ情報）との間の関係が定義された規則である。
【００４４】
図４は、図３に示した演算手段１２の構成例を示すブロック図である。この演算手段１２は、演算段１６及び補正段１７を備えている。
【００４５】
演算段１６は、映像信号Ｖを入力すると共に、予め設定された各種パラメータ（コントラストパラメータａ、ブライトネスパラメータｂ、ディスプレイ特性γ及び基準白色の映像信号レベルｒ）を入力する。そして、演算段１６は、映像信号Ｖ及び各種パラメータを用いて、前記数式（２）のうちの従来技術に相当する数式（前記数式（４）の右辺における第１項の式、すなわち前記数式（１））により、ディスプレイの画面輝度Ｌ’を算出する。演算段１６は、これを輝度Ｌ’情報として補正段１７に出力する。
【００４６】
補正段１７は、演算段１６から輝度Ｌ’情報を入力すると共に、予め設定された各種パラメータのうちのブライトネスパラメータｂ、ディスプレイ特性γ及び基準白色の映像信号レベルｒを入力する。そして、補正段１７は、輝度Ｌ’情報及びこれらのパラメータを用いて、前記数式（２）のうちの前記数式（３）に示した補正係数の式（前記数式（４）の右辺における第２項の式）により、ディスプレイの画面輝度Ｌを算出する。補正段１７は、これを輝度Ｌ情報として変換手段１３に出力する。
【００４７】
これにより、演算段１６にて、従来技術に相当する数式（非特許文献２の勧告が規定するＥＯＴＦの方式による前記数式（１））を用いるようにしたから、従来技術の演算処理をそのまま利用することができ、本発明の実施形態を実現するためのコストを抑えることができる。
【００４８】
ここで、演算段１６による従来技術に相当する前記数式（１）の右辺において、ａの部分が、コントラスト調整回路に対応する演算箇所である。また、前記数式（１）の右辺におけるａ以外の部分及び補正段１７による前記数式（３）が、ブライトネス調整回路に対応する演算箇所である。
【００４９】
以上のように、本発明の実施例１のコントラスト／ブライトネス調整回路１１−１によれば、演算手段１２は、各種パラメータ（コントラストパラメータａ、ブライトネスパラメータｂ、ディスプレイ特性γ及び基準白色の映像信号レベルｒ）を用いた前記数式（２）により、映像信号Ｖから輝度Ｌ情報を求め、変換手段１３は、所定の変換規則に従い、輝度Ｌ情報を映像信号Ｖ’に変換するようにした。
【００５０】
これにより、映像信号Ｖ’が表示部２０に入力されると、表示部２０により、演算手段１２から出力された輝度Ｌ情報の輝度Ｌによる映像が画面表示される。この映像信号Ｖ’は、元の映像信号Ｖに対し前記数式（２）が反映されたものである。前述のとおり、前記数式（２）は、ブライトネスパラメータｂに関わることなく、基準白色の画面輝度を一定とすることができる数式である。
【００５１】
したがって、任意に設定された基準白色の画面輝度が変化しないように、基準黒レベルのブライトネスを調整することが可能となり、ＥＩＤＲＴＶの方式を用いた映像の制作及び管理の一貫性を保証することができる。
【００５２】
〔実施例２：コントラスト／ブライトネス調整回路１１〕
次に、図１に示した実施例２のコントラスト／ブライトネス調整回路１１について詳細に説明する。図５は、実施例２によるコントラスト／ブライトネス調整回路１１の構成例を示すブロック図である。このコントラスト／ブライトネス調整回路１１−２は、変換手段１４及びテーブル１５を備えている。
【００５３】
変換手段１４は、映像信号Ｖを入力すると共に、予め設定された各種パラメータ（コントラストパラメータａ、ブライトネスパラメータｂ、ディスプレイ特性γ及び基準白色の映像信号レベルｒ）を入力する。そして、変換手段１４は、映像信号Ｖ及び各種パラメータをキーとしてテーブル１５を検索し、テーブル１５から、映像信号Ｖ及び各種パラメータに対応する映像信号Ｖ’を読み出すことで、映像信号Ｖを映像信号Ｖ’に変換し、映像信号Ｖ’を出力する。
【００５４】
図６は、テーブル１５を説明する図である。このテーブル１５は、コントラストパラメータａ、ブライトネスパラメータｂ、ディスプレイ特性γ及び基準白色の映像信号レベルｒからなるパラメータ群毎の複数のテーブルからなる。複数のテーブルのそれぞれには、映像信号Ｖと映像信号Ｖ’との間の関係が定義されている。
【００５５】
例えば、第１のテーブルには、コントラストパラメータａ＝ａ１、ブライトネスパラメータｂ＝ｂ１、ディスプレイ特性γ＝γ１及び基準白色の映像信号レベルｒ＝ｒ１のパラメータ群について、映像信号Ｖと映像信号Ｖ’との間の関係が定義されている。また、第２のテーブルには、コントラストパラメータａ＝ａ２（≠ａ１）、ブライトネスパラメータｂ＝ｂ１、ディスプレイ特性γ＝γ１及び基準白色の映像信号レベルｒ＝ｒ１のパラメータ群について、映像信号Ｖと映像信号Ｖ’との間の関係が定義されている。つまり、各種パラメータのうちの少なくとも１つのパラメータが異なるパラメータ群のテーブル毎に、映像信号Ｖと映像信号Ｖ’との間の関係が定義されている。
【００５６】
このテーブル１５は、図３に示したコントラスト／ブライトネス調整回路１１−１を実現する前記数式（２）及び表示部２０に対応した変換規則を用いて、各種パラメータ毎の映像信号Ｖに対する映像信号Ｖ’が計算されることにより生成される。つまり、テーブル１５には、前記数式（２）及び変換規則が反映された映像信号Ｖと映像信号Ｖ’との間の関係が定義されている。
【００５７】
図５に戻って、具体的には、変換手段１４は、予め設定された各種パラメータに基づいて、テーブル１５を構成する複数のテーブルから１つのテーブルを特定する。変換手段１４は、テーブルを特定する際に、予め設定された各種パラメータの値が、テーブル１５のテーブル群に定義されたパラメータの値と異なる場合、両パラメータが最も近いテーブルを、複数のテーブルの中から特定する。そして、変換手段１４は、特定したテーブルから、映像信号Ｖに対応する映像信号Ｖ’を読み出すことで、映像信号Ｖを映像信号Ｖ’に変換する。
【００５８】
以上のように、本発明の実施例２のコントラスト／ブライトネス調整回路１１−２によれば、変換手段１４は、テーブル１５から、映像信号Ｖ及び各種パラメータに対応する映像信号Ｖ’を読み出すことで、映像信号Ｖを映像信号Ｖ’に変換し、映像信号Ｖ’を出力するようにした。このテーブル１５には、前記数式（２）及び表示部２０の変換規則が反映された映像信号Ｖと映像信号Ｖ’との間の関係が定義されている。
【００５９】
この映像信号Ｖ’は、元の映像信号Ｖに対し前記数式（２）が反映されたものであり、前述のとおり、前記数式（２）は、ブライトネスパラメータｂに関わることなく、基準白色の画面輝度を一定とすることができる数式である。
【００６０】
したがって、任意に設定された基準白色の画面輝度が変化しないように、基準黒レベルのブライトネスを調整することが可能となり、ＥＩＤＲＴＶの方式を用いた映像の制作及び管理の一貫性を保証することができる。
【００６１】
また、実施例２のコントラスト／ブライトネス調整回路１１−２は、テーブル１５を用いて変換処理を行うから、演算処理を行う実施例１のコントラスト／ブライトネス調整回路１１−１に比べ、処理負荷を低減することができ、処理速度を速めることができる。
【００６２】
以上、実施形態を挙げて本発明を説明したが、本発明は前記実施形態に限定されるものではなく、その技術思想を逸脱しない範囲で種々変形可能である。
【符号の説明】
【００６３】
１  表示装置
１０  調整部
１１  コントラスト／ブライトネス調整回路
１２  演算手段
１３，１４  変換手段
１５  テーブル
１６  演算段
１７  補正段
２０  表示部
【図１】
0006537401.tif 000012
【図２】
0006537401.tif 000013
【図３】
0006537401.tif 000014
【図４】
0006537401.tif 000015
【図５】
0006537401.tif 000016
【図６】
0006537401.tif 000017
【図７】
0006537401.tif 000018
【図８】
0006537401.tif 000019